(57)【要約】【課題】磨耗によって識別機能を損なうおそれがないと共に、導通センサにより常に有無を確実に検出し得る識別情報付き遊技用メダルを提供する。【解決手段】導電性金属材料からなる円形板状のメダル１に貫通孔２または窪み部５を形成し、表面３ａが非導電性であって識別情報を有する識別機能部材３を該貫通孔中または窪み部中に配設し、かつ、該貫通孔または窪み部の開口縁２ａ、５ａに同形のメダル１′の外周縁を当接させた際にその当接方向の如何に拘わらず常に該メダル１′の外周縁１ａが識別機能部材３の表面３ａから離間するように該識別機能部材の表面を該貫通孔または窪み部の開口縁２ａ、５ａから低位に窪ませて形成した。【選択図】図３
2010191702.tif 000002
【特許請求の範囲】
【請求項１】
導電性金属材料からなる円形板状のメダルに貫通孔または窪み部を形成し、表面が非導電性であって識別情報を有する識別機能部材を該貫通孔中または窪み部中に配設し、かつ、該貫通孔または窪み部の開口縁に同形の該メダルの外周縁を当接させた際にその当接方向の如何に拘わらず常に該メダルの外周縁が識別機能部材の表面から離間するように該識別機能部材の表面を該貫通孔または窪み部の開口縁から低位に形成したことを特徴とする識別情報付き遊技用メダル。
【発明の詳細な説明】
【技術分野】
【０００１】
本発明は、遊技場において遊技媒体として使用するメダル（コインに同じ）に関し、さらに詳しくはメダルの属性を識別し得るように識別情報が付された識別情報付き遊技用メダルの構成に関するものである。
【背景技術】
【０００２】
遊技場においてスロットマシン等の遊技媒体として使用されるメダルは、一般にステンレス鋼等の導電性の金属材料からなる円形板状のものであるが、例えば下記特許文献１に示されたように従来から不正なメダルを識別するための識別部を設けてなるものが知られている。また、ＩＣチップ（識別機能部材）を埋設することによりメダルを識別できるようにすることも周知である。
さらに、本特許出願人の特許出願に係る特許文献２に示されたメダルは、光を照射することにより可逆的に発消色するフォトクロミック化合物（識別機能部材）を塗着することにより不正行為が防止されるようにするものである。
【先行技術文献】
【特許文献】
【０００３】
【特許文献１】特開２００４−２８８１１６号公報
【特許文献２】特開２００７−０６１３５６号公報
【０００４】
また、メダルを遊技媒体として使用する遊技機や遊技場のメダル循環装置等においては、従来から例えばメダル貯留室に一対の電極からなる導通センサを設けることにより、該メダル貯留室に多数のメダルが存在することを検出するようにしている。
【発明の概要】
【発明が解決しようとする課題】
【０００５】
ところで、遊技機に使用される多数のメダルは、互いに擦れ合うことによって磨耗し易いものであるが、上記のような識別機能部材は、樹脂によって覆っていたとしてもメダルの外周縁が接触することで磨耗し、長期間使用しているとその識別機能を損うおそれがあった。
また、従来のメダルは、隣り合うメダルが非導電性の識別機能部材に接触した場合に電気的導通がなくなるおそれがあったため、上記のように導通センサによるメダル検知装置ではメダルの有無が正しく検知されず誤作動を起こすおそれがあった。
本発明はこのような従来の識別情報付き遊技用メダルの課題を解決しようとするものである。
【課題を解決するための手段】
【０００６】
そのために本発明に係る識別情報付き遊技用メダルは、導電性金属材料からなる円形板状のメダルに貫通孔または窪み部を形成し、表面が非導電性であって識別情報を有する識別機能部材を該貫通孔中または窪み部中に配設し、かつ、該貫通孔または窪み部の開口縁に同形の該メダルの外周縁を当接させた際にその当接方向の如何に拘わらず常に該メダルの外周縁が識別機能部材の表面から離間するように該識別機能部材の表面を該貫通孔または窪み部の開口縁から低位に形成したことを特徴とする。
【発明の効果】
【０００７】
識別機能部材が磨耗によって機能を損なうおそれがないと共に、隣り合うメダル同士が接触すると必ず両メダル間に電気的導通が生じることから、導通センサによるメダル検知が常に確実に行われる。
【図面の簡単な説明】
【０００８】
【図１】本発明に係る識別情報付き遊技用メダルの斜視図。
【図２】図１に示したメダルの縦断面図。
【図３】本発明に係る識別情報付き遊技用メダルの接触状態を示した縦断面図。
【図４】本発明に係る識別情報付き遊技用メダルの他の実施形態を示した縦断面図。
【発明を実施するための形態】
【０００９】
次に本発明の実施形態を図面に従い説明する。図１、図２に示したように、本発明に係るメダル１は、ステンレス鋼等の導電性金属材料からなる円形板状のものであり、その中心に貫通孔２が形成され、該貫通孔２中に識別機能部材３が配設される。該識別機能部材３は、高周波信号を発振するＩＣチップ、或いは、フォトクロミック化合物からなり、当該メダルの識別情報を発信し得るもので、該識別機能部材３の表面３ａは非導電性の塗膜が施され、該識別機能部材３を保護している。
しかして、該メダル１は図３に示したように、これと同形のメダル１′の外周縁を該メダル１の貫通孔２中に当接させた際に該メダル１′の外周縁１ａが該貫通孔２の開口縁２ａに当接し識別機能部材３の表面３ａから離間することで該表面３ａとの間に常に隙間ｇが生じるように、該識別機能部材３の表面３ａを該貫通孔２の開口縁２ａから低位に窪ませて形成する。そのためには、該メダル１の外径と貫通孔２の内径とを勘案し、識別機能部材３の厚さを必要十分な値に設定する。そして、メダル１′の当接方向の如何に拘わらず該メダル１′の外周縁１ａが識別機能部材３の表面３aから離間するようにする。
【００１０】
このように構成した遊技用メダルでは、遊技場にて遊技媒体として長期間循環使用することで表面が擦れ合うにしても、該メダル１の識別機能部材３に隣り合う同形のメダル１′の外周縁が擦れ合うことはないので、該識別機能部材３が磨耗し破損するおそれがなく、長期間にわたって識別機能を保持し得る。また、隣り合う同形のメダル１′の外周縁が貫通孔２の開口縁２ａに当接することで、導電性金属材料からなる両メダル間の電気的導通が常に確保されるので、導通センサによるメダル検知を常に確実に行うことができる。
【００１１】
一方、図４に示したメダル１は、中心に窪み部５を形成し、該窪み部５中にＩＣチップ、或いは、フォトクロミック化合物等の識別機能部材３を配設したものである。この場合も、これと同形のメダル１′を該窪み部５中に当接させた際に該メダル１′の外周縁が該窪み部５の開口縁５ａに当接し識別機能部材３の表面３ａから離間することで該表面３ａとの間に常に隙間ｇが生じるように、該識別機能部材３の表面３ａを該窪み部５の開口縁５ａから低位に形成している。このように窪み部５中に識別機能部材３を配設することによっても、識別機能部材３の磨耗を防止すると同時に、導通センサによるメダル検知が常に確実に行なわれるようにすることができる。
【符号の説明】
【００１２】
１、１′    メダル
１ａ        メダルの外周縁
２          貫通孔
２ａ        貫通孔の開口縁
３          識別機能部材
３ａ        識別機能部材の表面
５          窪み部
５ａ        窪み部の開口縁
【図１】
2010191702.tif 000003
【図２】
2010191702.tif 000004
【図３】
2010191702.tif 000005
【図４】
2010191702.tif 000006